(57)【要約】  【課題】患部からの剥離性を向上し患部からの剥離性を向上して回収を容易にした手術用吸収シートを提供する。  【解決手段】撥水性を有する部材で網目状に形成したシート４で吸収性シート２の一部を覆うことで、シート４が吸収性シート２と患部との間を広げ、吸収性シート２と患部との接触面積を低減し、手術用吸収シート１の剥離性を向上でき、手術用吸収シート１の回収を容易にできる。  【選択図】図１
2005305044.tif 000002
【特許請求の範囲】
【請求項１】
吸収性部材と、
この吸収性部材に取り付けられた回収糸と、
撥水性を有する部材で網目状に形成され、前記吸収性部材の少なくとも一部を覆う覆い部材と
を具備したことを特徴とした手術用吸収シート。
【請求項２】
覆い部材は、吸収性部材の全体を被覆し、かつ前記吸収性部材に接着されていない
ことを特徴とした請求項１記載の手術用吸収シート。
【請求項３】
吸収性部材は、Ｘ線造影効果を有する部材を少なくとも一部に備えている
ことを特徴とした請求項１または２記載の手術用吸収シート。
【発明の詳細な説明】
【技術分野】
【０００１】
本発明は、脳外科手術、あるいは整形外科手術などの際に用いる手術用吸収シートに関する。
【背景技術】
【０００２】
脳外科手術、あるいは整形外科手術の際に用いられるこの種の手術用吸収シートは、体液あるいは血液の吸収特性とともに、患部への挿入あるいは回収が容易であることが重要である。
【０００３】
すなわち、患部に配設した手術用吸収シートは、浸透した血液、あるいは生理食塩水によって患部に強く密着してしまい、回収の際には剥離抵抗となって、その回収に支障をきたすおそれがあり、迅速な処置を要する手術において、患部からの手術用吸収シートの剥離性および回収性を改善することは大きな課題である。
【０００４】
そして、使用後の手術用吸収シートの患部からの回収が困難な原因としては、吸液によって形態が維持できずに団子状になることが挙げられ、その結果、吸引器の管の入り口に手術用吸収シートが引っ掛かって素早い回収が困難であることが指摘されている（例えば、特許文献１参照。）。このため、この特許文献１に記載された手術用吸収シートは、剛性が大きいセルロース連続長繊維不織布を綿ガーゼあるいは合繊ネットフィルムに複合させ、形態安定性を改善して回収性を向上している。
【０００５】
また、この種の手術用吸収シートとして、投入、あるいは患部および患部周辺からの回収を容易にするための回収糸を取り付け、回収時などにはその回収糸を引き出し用の目印として兼用し、かつその回収糸を手繰って手術用吸収シートを回収するものも知られている（例えば、特許文献２および特許文献３参照。）。
【特許文献１】特開２００１−２９９８０４号公報（第３−５頁）
【特許文献２】特開２００２−３２５７７３号公報（第２−４頁、図１）
【特許文献３】特開２００２−３２５７７４号公報（第２−３頁、図１）
【発明の開示】
【発明が解決しようとする課題】
【０００６】
しかしながら、上述の特許文献１に記載された手術用吸収シートでは、手術用吸収シートが体液、あるいは血液を吸収してもその形態が崩れずに、吸引器に吸引されやすい初期形態の維持を目的としており、手術用吸収シート自体の患部からの剥離性を向上させたものではない。また、この特許文献１に記載された手術用吸収シートでは、回収糸なども設けられておらず、回収性が良好とはいえないという問題点を有している。
【０００７】
また、特許文献２あるいは特許文献３に記載された手術用吸収シートでは、回収糸により回収性は向上するものの、患部からの手術用吸収シートの剥離性については検討されていない。
【０００８】
本発明は、このような点に鑑みなされたもので、患部からの剥離性を向上して回収を容易にした手術用吸収シートを提供することを目的とする。
【課題を解決するための手段】
【０００９】
請求項１記載の手術用吸収シートは、吸収性部材と、この吸収性部材に取り付けられた回収糸と、撥水性を有する部材で網目状に形成され、前記吸収性部材の少なくとも一部を覆う覆い部材とを具備したものである。
【００１０】
そして、吸収性部材の少なくとも一部を、撥水性を有する部材で網目状に形成された覆い部材で覆うことで、吸収性部材と、体液あるいは血液を介して接触する患部との間隔が広がり、患部との接触面積を間接的に小さくできるので、吸収性部材と患部との間に生じる吸着力を低下させることが可能となり、患部からの剥離性が向上し、吸収性部材に取り付けられた回収糸、あるいは吸引器などを用いて患部からの回収性を向上することが可能になる。
【００１１】
請求項２記載の手術用吸収シートは、請求項１記載の手術用吸収シートにおいて、覆い部材は、吸収性部材の全体を被覆し、かつ前記吸収性部材に接着されていないものである。
【００１２】
そして、覆い部材を吸収性部材に接着せずに、この覆い部材で吸収性部材の全体を被覆することで、剥離性がより向上する。
【００１３】
請求項３記載の手術用吸収シートは、請求項１または２記載の手術用吸収シートにおいて、吸収性部材は、Ｘ線造影効果を有する部材を少なくとも一部に備えているものである。
【００１４】
そして、吸収性部材の少なくとも一部にＸ線造影効果を有する部材を備えることで、Ｘ線撮影により吸収性部材の存在を容易に確認でき、患部からの取り残しを防止することが可能になる。
【発明の効果】
【００１５】
請求項１記載の発明によれば、吸収性部材の少なくとも一部を、撥水性を有する部材で網目状に形成された覆い部材で覆うことで、吸収性部材と、体液あるいは血液を介して接触する患部との間隔が広がり、患部との接触面積を間接的に小さくできるので、吸収性部材と患部との間に生じる吸着力を低下させることができ、患部からの剥離性が向上し、吸収性部材に取り付けられた回収糸、あるいは吸引器などを用いて患部からの回収性を向上できる。
【００１６】
請求項２記載の発明によれば、覆い部材を吸収性部材に接着せずに、この覆い部材で吸収性部材の全体を被覆することで、剥離性をより向上できる。
【００１７】
請求項３記載の発明によれば、吸収性部材の少なくとも一部にＸ線造影効果を有する部材を備えることで、Ｘ線撮影により吸収性部材の存在を容易に確認でき、患部からの取り残しを防止できる。
【発明を実施するための最良の形態】
【００１８】
以下、本発明の一実施の形態の手術用吸収シートの構成を図面を参照して説明する。
【００１９】
図１において、１は手術用吸収シートであり、この手術用吸収シート１は、例えば脳神経外科用に用いられる脱脂綿である。そして、この手術用吸収シート１は、吸収性部材としての吸収性シート２と、この吸収性シート２に縫い付けられた回収糸３と、吸収性シート２を覆う覆い部材としてのカバーであるシート４とを備えている。
【００２０】
吸収性シート２は、長繊維の純セルロースを、高圧水を噴射するなどの特殊加工によりシート化したもので、脳の手術部位（患部）の血液を吸収したり、生理食塩水をしみこませて患部周辺の乾燥を防止したりすることを目的として用いられる。そして、この吸収性シート２は、脱脂綿、ガーゼ、不織布、パルプなどの形態、あるいはそれら２種類以上の組み合わせの形態で、例えば平面視で四角形状に形成されている。
【００２１】
また、この吸収性シート２は、例えばＸ線造影糸などの、Ｘ線造影効果を有する部材を備えている。
【００２２】
ここで、Ｘ線造影糸としては、例えば硫酸バリウムをプラスチック樹脂と混合して糸状に形成したものなどを用いる。硫酸バリウムと混合するプラスチック樹脂としては、例えばポリ塩化ビニル、ポリプロピレン、ポリエステル、ポリエチレン、ポリスチレン、あるいはシリコーンなどが用いられる。
【００２３】
なお、吸収性シート２に用いられるＸ線造影効果を有する部材としては、硫酸バリウムを熱可塑性樹脂と混合して溶融および圧着したものなども可能である。この熱可塑性樹脂としては、例えばポリ塩化ビニル、ポリプロピレン、ポリエチレン、あるいはポリスチレンなどとする。
【００２４】
回収糸３は、例えば吸収性シート２の長手方向の一端部に縫付糸５により縫い付けられ、回収の際の目印ともなるものである。
【００２５】
そして、シート４は、例えばポリエチレン、ポリプロピレン、ポリスチレン、エチレン酢酸ビニル共重合体など、あるいはこれら２種類以上の組み合わせなどの、撥水性を有し、かつ体内組織などを傷つけないようにできる限り柔らかい樹脂などの素材にて、網目状に形成されている。また、このシート４は、筒状に形成され、吸収性シート２の長手方向の他端部近傍から回収糸３が縫い付けられた縫付糸５の近傍までを被覆している。
【００２６】
なお、シート４による吸収性シート２の被覆方法は、例えば成形の容易性を考慮して熱融着などの方法が適当であるが、特にこの方法に限定されるものではない。熱融着にてシート４で吸収性シート２を被覆する場合には、接合部の剛性が必要以上に大きくならないようにする。また、吸収性シート２とシート４とを接合する際に接着剤を用いると、手術中に接着剤の成分が溶出するおそれがあるため、適当ではない。
【００２７】
次に、上記一実施の形態の作用効果を説明する。
【００２８】
患部に使用された手術用吸収シート１は、吸収性シート２により血液、あるいは体液を吸収し、患部との接触部分に吸着力すなわち張力（剥離力）にて患部に強く密着しようとする。すなわち、吸収性シート２と血液あるいは体液を介して接触する患部との接触面積が大きいほど、吸収性シート２と患部との間に生じる張力が大きくなり、吸収性シート２の患部からの剥離性が悪くなる。
【００２９】
このため、吸収性シート２を網目状に形成したシート４で一部を被覆することで、シート４が吸収性シート２と患部との間を広げ、これら吸収性シート２と患部との接触面積を低減し、手術用吸収シート１の剥離性を向上でき、手術用吸収シート１の回収を容易にできる。
【００３０】
さらに、撥水性を有する部材でシート４を形成することで、患部からの手術用吸収シート１の剥離性をより向上できる。
【００３１】
また、吸収性シート２がＸ線造影効果を有する部材を備えることで、手術部位を閉じる前にＸ線撮影により吸収性シート２の存在を容易に確認でき、手術用吸収シート１の患部からの取り残しを確実に防止できる。
【００３２】
なお、上記一実施の形態において、図２に示すように、吸収性シート２の全体をシート４で被覆する構成も可能である。この場合には、吸収性シート２に回収糸３を縫付糸５で縫い付けた後、シート４にて吸収性シート２全体を被覆するようにする。この結果、手術用吸収シート１の剥離性をより向上できる。
【００３３】
また、シート４は、吸収性シート２の少なくとも一部を覆う構成であれば、例えば吸収性シート２の表面の一部を覆う構成など、他の様々な形状とすることができる。
【図面の簡単な説明】
【００３４】
【図１】本発明の第１の実施の形態の手術用吸収シートを示す平面図である。
【図２】同上手術用吸収シートの他の実施の形態を示す斜視図である。
【符号の説明】
【００３５】
１    手術用吸収シート
２    吸収性部材としての吸収性シート
３    回収糸
４    覆い部材としてのシート
【図１】
2005305044.tif 000003
【図２】
2005305044.tif 000004